(57)【要約】【課題】モニタに起因する輝度や色度の変化に対して、自動的に輝度や色度を適切なものに調整する。【解決手段】電子内視鏡装置１０のモニタ３２をプロセッサ３０と開閉自在に一体化させ、モニタ３２が閉じた状態で、モニタ画面３４上に初期画面を映し出させる。初期画面の所定の位置での輝度値及び色度値を、モニタ対向面４６上の輝度センサ４０及び色度センサ４２により検出する。検出された輝度値及び色度値を、それぞれ適正な値である参照輝度値および参照色度値と比較させ、必要に応じて自動的に画面表示における輝度及び色度を補正させる。輝度値の適正範囲を予め設定し、検出された輝度値が適正範囲内にあるか否かを判断させることにより、モニタ画面３４に起因する表示の異常等をオペレータに報知する。【選択図】    図１
2005073718.tif 000002
【特許請求の範囲】
【請求項１】
映像を表示するモニタ画面を有するモニタが、開閉自在にプロセッサと一体化された電子内視鏡装置であって、
前記プロセッサが、
前記モニタが閉じた場合に前記モニタ画面と近接あるいは接触して対向するモニタ対向面と、
前記モニタ対向面上に設置され、モニタ画面に表示される輝度調整用の初期画面の輝度値を検出する輝度センサと、
前記モニタの開閉を判断するモニタ画面開閉判断手段と、
前記モニタが閉じていると判断された場合、前記モニタ画面に前記初期画面を表示させる初期画面表示手段と、
前記輝度値を所定の比較輝度値と比較する輝度比較手段と、
前記輝度比較手段により比較された結果に基いて輝度値を補正する輝度補正手段とを備えることを特徴とする電子内視鏡装置。
【請求項２】
映像を表示するモニタ画面を有するモニタが、開閉自在にプロセッサと一体化された電子内視鏡装置であって、
前記プロセッサが、
前記モニタが閉じた場合に前記モニタ画面と近接あるいは接触して対向するモニタ対向面と、
前記モニタ対向面上に設置され、モニタ画面に表示される色度調整用の初期画面の色度値を検出する色度センサと、
前記モニタの開閉を判断するモニタ画面開閉判断手段と、
前記モニタが閉じていると判断された場合、前記モニタ画面に前記初期画面を表示させる初期画面表示手段と、
前記色度値を所定の比較色度値と比較する色度比較手段と、
前記色度比較手段により比較された結果に基いて色度値を補正する色度補正手段とを備えることを特徴とする電子内視鏡装置。
【請求項３】
前記輝度値が満たすべき範囲を示す基準輝度範囲を設定可能な基準輝度範囲設定手段と、
オペレータに対して前記モニタ画面の点検の必要性を知らせる報知手段とをさらに有し、
前記基準輝度範囲設定手段により設定された前記基準輝度範囲が上限値および／または下限値で規定され、
前記基準輝度範囲の上限値および／または下限値と、前記輝度センサにより検出された前記輝度値とが前記輝度比較手段により比較され、
前記輝度値が前記基準輝度範囲の上限値よりも大きい値あるいは前記基準輝度範囲の下限値よりも小さい値であった場合に、前記報知手段が動作することを特徴とする請求項１に記載の電子内視鏡装置。
【請求項４】
前記輝度センサにより検出された前記初期画面の輝度値を記録可能な輝度記録手段をさらに有し、
前記所定の比較輝度値が、前回の前記輝度センサ動作時に検出されて前記輝度記録手段により記録されている前回検出輝度値であって、
前記前回検出輝度値と前記輝度値とを、前記輝度比較手段により比較することを特徴とする請求項１に記載の電子内視鏡装置。
【請求項５】
前記色度センサにより検出された前記初期画面の色度値を記録可能な色度記録手段をさらに有し、
前記所定の比較色度値が、前回の前記色度センサ動作時に検出されて前記色度記録手段により記録されている前回検出色度値であって、
前記前回検出色度値と前記色度値とを、前記色度比較手段により比較することを特徴とする請求項２に記載の電子内視鏡装置。
【請求項６】
前記モニタが、軸回転によって開閉することを特徴とする請求項１乃至２のいずれかに記載の電子内視鏡装置。
【請求項７】
前記輝度センサが、前記モニタ対向面の中心付近に設置されていることを特徴とする請求項１に記載の電子内視鏡装置。
【請求項８】
前記色度センサが、前記モニタ対向面の中心付近に設置されていることを特徴とする請求項２に記載の電子内視鏡装置。
【請求項９】
前記モニタが閉じた場合に、前記輝度センサのフォトセルの配列が、前記輝度センサと対向する前記モニタ画面上の領域にあるフォトセルの配列と一致することを特徴とする請求項１に記載の電子内視鏡装置。
【請求項１０】
前記モニタが閉じた場合に、前記色度センサのフォトセルの配列が、前記色度センサと対向する前記モニタ画面上の領域にあるフォトセルの配列と一致することを特徴とする請求項２に記載の電子内視鏡装置。
【請求項１１】
前記色度センサが、少なくとも赤（Ｒ）用の１画素、青（Ｂ）用の１画素、緑（Ｇ）用の２画素の４画素から成ることを特徴とする請求項２に記載の電子内視鏡装置。
【請求項１２】
モニタ画面を有するモニタが、開閉自在に本体と一体化された電子機器であって、
前記本体が、
前記モニタが閉じた場合に前記モニタ画面と近接あるいは接触して対向するモニタ対向面と、
前記モニタ対向面上に設置され、モニタ画面に表示される輝度調整用の初期画面の輝度値を検出する輝度センサと、
前記モニタの開閉を判断するモニタ画面開閉判断手段と、
前記モニタが閉じていると判断された場合、前記モニタ画面に前記初期画面を表示させる初期画面表示手段と、
前記輝度値を所定の比較輝度値と比較する輝度比較手段と、
前記輝度比較手段により比較された結果に基いて輝度値を補正する輝度補正手段とを備えることを特徴とする電子機器。
【請求項１３】
モニタ画面を有するモニタが、開閉自在に本体と一体化された電子機器であって、
前記本体が、
前記モニタが閉じた場合に前記モニタ画面と近接あるいは接触して対向するモニタ対向面と、
前記モニタ対向面上に設置され、モニタ画面に表示される色度調整用の初期画面の色度値を検出する色度センサと、
前記モニタの開閉を判断するモニタ画面開閉判断手段と、
前記モニタが閉じていると判断された場合、前記モニタ画面に前記初期画面を表示させる初期画面表示手段と、
前記色度値を所定の比較色度値と比較する色度比較手段と、
前記色度比較手段により比較された結果に基いて色度値を補正する色度補正手段とを備えることを特徴とする電子機器。
【請求項１４】
前記モニタ画面が、液晶モニタであることを特徴とする請求項１、請求項２、請求項１２、請求項１３のいずれかに記載の表示機能付き撮像装置。
【発明の詳細な説明】
【０００１】
【発明の属する技術分野】
本発明は、電子内視鏡装置、ノート型パーソナルコンピュータ、カメラ付き携帯電話などの一体型モニタを備えた電子機器のモニタ画面表示における輝度や色度の自動調整に関する。
【０００２】
【従来の技術】
従来、信号処理が行われる本体からモニタが独立している電子内視鏡装置などの電子機器においては、外部端子を介して本体から送信される信号に基いてモニタ画面に映像が映し出されている。この場合、モニタ画面表示の輝度や色度は、モニタ画面付近のボタン等の操作により必要に応じて調整されている。また、一体型モニタを有する電子機器においては、パーソナルコンピュータ等では同様にボタン操作等により明るさや色が調整されるものの、デジタルカメラ等においては、撮像装置側において自動的にホワイトバランス調整や輝度調整などが行われる。（例えば特許文献１参照）。
【０００３】
【特許文献１】
特開２００１−３３３４３２号公報（段落［０００６］〜［００１３］）
【０００４】
【発明が解決しようとする課題】
従来、モニタが独立している電子内視鏡装置などの電子機器や、モニタ一体型電子機器のうちパーソナルコンピュータ等においては、モニタ画面表示における明るさや色の調整にボタン操作等が必要になる。一方、一体型モニタを有する電子機器のうちデジタルカメラ等においては、送信されてくる画像信号に基いて被写体像の表示が行われるが、輝度や色度については既に画像処理回路にて適切なものに調整されている。しかしながら、画像処理回路から一度送信されると、送信された画像信号のままに表示されるため、液晶モニタにおけるモニタ画面照明用バックライトの経時変化に起因する放射光の輝度低下など、モニタに起因する輝度や色度の変化は、自動的に調整されてはいない。
【０００５】
そこで本発明では、モニタに起因する輝度や色度の変化に対しても、モニタ表示における輝度や色度を自動的に適切なものに調整することが可能であり、さらにモニタ画面表示における異常などを報知可能なモニタ一体型電子機器を提供することを目的とする。
【０００６】
【課題を解決するための手段】
本発明の第１の電子内視鏡装置は、映像を表示するモニタ画面を有するモニタが、開閉自在にプロセッサと一体化されている。プロセッサは、モニタが閉じた場合にモニタ画面と近接あるいは接触して対向するモニタ対向面と、モニタ対向面上に設置され、モニタ画面に表示される輝度および色度調整用の初期画面の輝度値を検出する輝度センサと、初期画面の色度値を検出する色度センサとを備えている。さらにプロセッサは、モニタの開閉を判断するモニタ画面開閉判断手段と、モニタが閉じていると判断された場合にモニタ画面に初期画面を表示させる初期画面表示手段と、検出される輝度値を所定の比較輝度値と比較する輝度比較手段と、検出される色度値を所定の比較色度値と比較する色度比較手段とを備え、さらに、輝度比較手段により比較輝度値と比較された結果に基いて輝度値を補正する輝度補正手段と、色度比較手段により比較色度値と比較された結果に基いて色度値を補正する色度補正手段とを備えている。
【０００７】
本発明の第２の電子内視鏡装置は、輝度センサにより検出される輝度値が満たすべき範囲を示す基準輝度範囲を設定可能な基準輝度範囲設定手段と、オペレータに対しモニタ画面の点検の必要性を知らせる報知手段とをさらに有していることが好ましい。そして、基準輝度範囲設定手段により設定された基準輝度範囲の上限値および／または下限値と、輝度センサにより検出された輝度値とが、輝度比較手段により比較される。その結果、検出された輝度値が、基準輝度範囲の上限値よりも大きい値、あるいは基準輝度範囲の下限値よりも小さい値であった場合には、報知手段が動作することが望ましい。
【０００８】
本発明の第３の電子内視鏡装置は、輝度センサにより検出された初期画面の輝度値を記録可能な輝度記録手段と、色度センサにより検出された初期画面の色度値を記録可能な色度記録手段をさらに有していることが好ましい。そして、前回の輝度センサ動作時に検出されて輝度記録手段により記録されている前回検出輝度値と輝度センサにより検出される輝度値とが輝度比較手段により比較され、また、前回の色度センサ動作時に検出されて色度記録手段により記録されている前回検出色度値と色度センサにより検出される色度値とが、色度比較手段により比較されることが望ましい。
【０００９】
本発明のモニタは、例えば軸回転によって開閉する。
【００１０】
本発明の輝度センサおよび色度センサは、輝度および色度検出時の外乱光の影響を避けるために、モニタ対向面の中心付近に設置されていることが好ましい。さらに、モニタが閉じた時にはモニタとプロセッサ、あるいはモニタと本体とは近接するか接触して、外乱光を遮断することが望ましい。
【００１１】
本発明におけるモニタが閉じた場合に、輝度センサのフォトセルの配列は輝度センサと対向するモニタ画面上の領域にあるフォトセルの配列と一致し、同様に、色度センサのフォトセルの配列が色度センサと対向するモニタ画面上の領域にあるフォトセルの配列と一致することが望ましい。
【００１２】
本発明における色度センサは、少なくとも赤（Ｒ）用の１画素、青（Ｂ）用の１画素、緑（Ｇ）用の２画素の４画素から成ることが好ましい。
【００１３】
本発明の電子機器は、モニタ画面を有するモニタが、開閉自在に本体と一体化されている。本体は、モニタが閉じた場合にモニタ画面と近接あるいは接触して対向するモニタ対向面と、モニタ対向面上に設置され、モニタ画面に表示される輝度および色度調整用の初期画面の輝度値を検出する輝度センサと、初期画面の色度値を検出する色度センサとを備えている。さらに本体は、モニタの開閉を判断するモニタ画面開閉判断手段と、モニタが閉じていると判断された場合にモニタ画面に初期画面を表示させる初期画面表示手段と、検出される輝度値を所定の比較輝度値と比較する輝度比較手段と、検出される色度値を所定の比較色度値と比較する色度比較手段とを備え、さらに、輝度比較手段により比較された結果に基いて輝度値を補正する輝度補正手段と、色度比較手段により比較された結果に基いて色度値を補正する色度補正手段とを備えている。
【００１４】
本発明におけるモニタ画面としては、例えば液晶モニタが用いられている。
【００１５】
【発明の実施の形態】
以下では、図面を参照して本発明の実施形態である電子内視鏡装置１０について説明する。図１は、本実施形態における電子内視鏡装置１０のブロック図である。
【００１６】
電子内視鏡装置１０には、ＣＣＤ１１を有するビデオスコープ２０と、ＣＣＤ１１から読み出される信号を処理するプロセッサ３０とが備えられている。ビデオスコープ２０は、プロセッサ３０と着脱自在に接続される。
【００１７】
ビデオスコープ２０内にはライトガイド１２が挿通されている。ライトガイド１２は、光源部２２から放射される光を伝達する光ファイバ束であり、ライトガイド入射端１２Ａと光源部２２との間には、光源部２２内の光源から放射される光束の光量を調節するための絞り（図示せず）や、光をライトガイド入射端１２Ａに集光させるための集光レンズ（図示せず）が設けられている。ビデオスコープ２０がプロセッサ３０に接続され、光源部２２内の光源から光が放射されると、光はライトガイド入射端１２Ａに入射し、ビデオスコープ２０側にあるライトガイド１２の出射端１２Ｂから出射する。そして、ライトガイド１２から出射した光により観察部位Ｓが照射される。
【００１８】
光源部２２においては、光源の光放射側に回転式ＲＧＢカラーフィルタ（図示せず）が設けられている。回転式ＲＧＢカラーフィルタは、所定の間隔を置いて設けられる赤色フィルタ、緑色フィルタおよび青色フィルタを備えている。このため、回転式ＲＧＢカラーフィルタがモータにより回転させられると、ライトガイド出射端１２Ｂから赤色光、緑色光および青色光が順次放射され、観察部位Ｓにはこれらの光が順次照射されて、各色の光学的被写体像がＣＣＤ１１の受光面に順次結像させられる。ＣＣＤ１１は、その光学的被写体像を１フレーム分のアナログ信号に光電変換し、生じた各色の１フレーム分のアナログ画素信号は、ビデオスコープ２０内のＣＣＤドライバ（図示せず）により順次読み出される。
【００１９】
ＣＣＤドライバにより読み出された赤色（Ｒ）、緑色（Ｇ）および青色（Ｂ）の各色の１フレーム分のアナログ画素信号は、初段信号処理回路２４に入力され、初段信号処理回路２４においてデジタル画像信号に変換される。さらに、デジタル画像信号にはホワイトバランス調整、γ補正などの処理が施されて、各色毎に画像メモリ２５に格納される。そして、デジタル画素信号に水平同期信号および垂直同期信号が付加されることにより、カラーデジタルビデオ信号（Ｒ、Ｇ、Ｂ）となる。さらに、カラーデジタルビデオ信号（Ｒ、Ｇ、Ｂ）には、拡大、縮小、ノイズリダクション等の処理が施されてカラーアナログビデオ信号に変換された後に、後段映像信号処理回路２６へ送信される。カラーアナログビデオ信号は、後段映像信号処理回路２６において出力レベルが調整されてからプリンタ３６に送信され、この結果プリンタ３６による被写体像の印刷が可能となる。なお、アナログ信号からデジタル信号への変換、デジタル信号からアナログ信号への変換、画像メモリ２５への画素信号の取り込み、同期信号の作成などはタイミングコントローラ２８によって制御される。
【００２０】
一方、本実施形態においては、モニタ画面３４を備えたモニタ３２が、プロセッサ３０と開閉自在に一体化されている。モニタ３２が後述の閉じられた状態で、プロセッサ３０の電源スイッチ（図示せず）がＯＮの状態になると、マイクロスイッチ３８が、モニタ３２が閉じられていることを検出し、検出信号が、システムコントローラ２１に送られる。
【００２１】
システムコントローラ２１は、受信した検出信号に基いた制御信号をＣＲＴＣ（ＣＲＴコントローラ）２９へ送り、さらにその制御信号に基づき、被写体像とは関わりのない輝度および色度調整用の所定の画面を表示させる表示指示信号が、ＣＲＴＣ２９から画面表示用信号処理回路２７へ送られる。画面表示用信号処理回路２７は、表示指示信号に基いてモニタ３２を制御し、これによりモニタ画面３４では初期画面が表示される。
【００２２】
プロセッサ３０に設けられた輝度センサ４０と色度センサ４２は、モニタ画面上に表示される初期画面の対向する位置における輝度値および色度値を検出し、検出された輝度値および色度値のデータは、それぞれ輝度センサ４０と色度センサ４２とから、システムコントローラ２１に送られる。
【００２３】
システムコントローラ２１によって受信された輝度値および色度値は、後述のように、既にシステムコントローラ２１内のＲＡＭ（図示せず）に記録されている参照輝度値および参照色度値とそれぞれ比較される。参照輝度値および参照色度値の設定や変更は、プロセッサ３０に接続されているキーボード４４を用いて、数値を入力することにより行われる。
【００２４】
先述の通り、本実施形態においては、使用開始時に初期画面を表示することが必要であるため、画面表示のために必要な信号をＣＲＴＣ２９から受信し、さらにモニタ３２へ送信する画面表示用信号処理回路２７が、後段映像信号処理回路２６とは別に設けられている。そして、観察部位Ｓの映像の表示も、画面表示用信号処理回路２７を介して行われるため、画像メモリ２５において処理されたカラーアナログビデオ信号は、後段映像信号処理回路２６と共に画面表示用信号処理回路２７にも送信される。
【００２５】
図２は、モニタ３２が一体化されたプロセッサ３０の側面図である。また、図３は、モニタ３２が開いた状態のプロセッサ３０の上面図である。
【００２６】
モニタ画面３４を備えたモニタ３２は、ヒンジ４８を介してプロセッサ３０の天面に回転自在に取付けられており、矢印の方向に開閉可能である。プロセッサの上面であり、モニタ３２が閉じられた状態においてモニタ３２のモニタ画面３４と近接して対向するモニタ対向面４６上には、マイクロスイッチ３８、輝度センサ４０および色度センサ４２が設けられている。マイクロスイッチ３８のＯＮ／ＯＦＦにより、モニタ３２が閉じられているか否かが判断可能であり、電子内視鏡装置１０の電源がＯＮである時に、マイクロスイッチ３８によりモニタ３２が閉じられていると判断されると、モニタ画面３４上に所定の初期画面が映し出される。そして、輝度センサ４０および色度センサ４２により、輝度センサ４０および色度センサ４２と対向する初期画面の所定の位置における輝度および色度が検出される。
【００２７】
モニタ対向面４６上にあって、モニタ３２が閉じた場合にモニタ画面３４と対向する領域であるモニタ画面対向領域５０の中心付近には、図３に示すように輝度センサ４０および色度センサ４２が設けられている。この時、外乱光を遮断するため、モニタ３２は、閉じた場合にプロセッサ３０側のモニタ対向面４６に近接する、あるいは接するように設けられている。これにより、モニタ３２が閉じられて初期画面がモニタ画面３４上に表示され、初期画面上の輝度および色度が、外乱光の影響の少ない状態で検出される。
【００２８】
輝度センサ４０および色度センサ４２は、それぞれ少なくとも赤（Ｒ）用の１画素、青（Ｂ）用の１画素、緑（Ｇ）用の２画素の４画素から構成されており、これらのフォトセルの配列は、モニタ３２が閉じられた場合にモニタ画面３４の対向する領域にあるフォトセルの配列と真向かいの位置にある。
【００２９】
図４は、モニタ３２が開いた状態のプロセッサ３０の正面図である。
【００３０】
本実施形態において、モニタ３２が開かれ、映像がモニタ画面３４上に表示されている場合、モニタ３２、モニタ画面３４、プロセッサ３０、およびモニタ対向面４６の位置関係は、図４のように示される。この時、マイクロスイッチ３８は、モニタ３２が開いていることを検出しており、初期画面の表示や、輝度センサ４０および色度センサ４２による輝度および色度の検出は、いずれも映像が表示される前のモニタ３２が閉じている状態で行い、この状態では行われない。
【００３１】
図５は、システムコントローラ２１で行われる輝度・色度調整ルーチンを示すフローチャートである。電子内視鏡装置１０のメインスイッチが操作され、ＯＮの状態となるとルーチンが開始される。
【００３２】
ステップＳ５０１では、マイクロスイッチ３８がＯＮの状態であるか否かが判断される。マイクロスイッチ３８がＯＮの状態である、すなわちモニタ３２が閉じられていると判断されると、ステップＳ５０２に進む。マイクロスイッチ３８がＯＮの状態でないと判断されると、輝度・色度調整ルーチンは終了する。
【００３３】
ステップＳ５０２では、閉じている状態でモニタ画面３４上に輝度および色度調整用の所定の初期画面が表示される。ステップＳ５０３では、輝度センサ４０および色度センサ４２により、初期画面のそれぞれのセンサと対向する位置における輝度および色度が検出される。検出された輝度値および色度値のデータがシステムコントローラ２１に送られると、ステップＳ５０４に進む。
【００３４】
ステップＳ５０４においては、輝度センサにより検出され、システムコントローラ２１に送信された輝度値（以下今回検出輝度値）ＢＲが、基準輝度範囲Ｂに含まれる値であるか否かが判断される。この場合、今回検出輝度値ＢＲと比較される基準輝度値Ｂは、予め設定されてシステムコントローラ２１内のＲＡＭに記録されている基準輝度範囲の上限値Ｂｍａｘおよび下限値Ｂｍｉｎにより規定される範囲である。これらの比較結果により、（１）式に示されるように、今回検出輝度値ＢＲが基準輝度範囲Ｂ内の値であると判断された場合にはステップＳ５０５に進み、（２）式あるいは（３）式に示されるように、今回輝度値ＢＲが輝度基準範囲Ｂ外の値であると判断された場合にはステップＳ５０６に進む。
Ｂｍｉｎ≦ＢＲ≦Ｂｍａｘ                      …（１）
ＢＲ＜Ｂｍｉｎ                                          …（２）
Ｂｍａｘ＜ＢＲ                                          …（３）
【００３５】
ステップＳ５０５では、前回の各センサ動作時に検出され、予めシステムコントローラ２１内のＲＡＭに記録されている前回検出輝度値Ｂｐｒｅおよび前回検出色度値Ｃｐｒｅが、今回輝度値ＢＲおよび色度センサにより検出されてシステムコントローラ２１に送信された色度値（以下今回検出色度値）ＣＲと比較される。そして、前回検出輝度値Ｂｐｒｅおよび前回検出色度値Ｃｐｒｅが、それぞれ今回検出輝度値ＢＲおよび今回検出色度値ＣＲと実質上等しいか否かが判断される。なお、色度については、Ｒ、Ｂ、Ｇの各色要素ごとにそれぞれ比較が行われる。
【００３６】
今回検出輝度値ＢＲと前回検出輝度値Ｂｐｒｅ、および今回検出色度値ＣＲと前回検出色度値Ｃｐｒｅとが、それぞれ実質上等しいか否かは、今回検出輝度値ＢＲと前回検出輝度値Ｂｐｒｅとの差、および今回検出色度値ＣＲと前回検出色度値Ｃｐｒｅとの差が、予め設定されているそれぞれの許容範囲である輝度許容範囲Ｄｂｒおよび色度許容範囲Ｄｃｒ内にあるか否かにより判断される。これらの差が、（４）式および（５）式に示されるようにいずれも輝度許容範囲Ｄｂｒおよび色度許容範囲Ｄｃｒ内であって、今回検出輝度値ＢＲおよび今回検出色度値ＣＲのいずれもが、前回検出輝度値Ｂｐｒｅおよび前回検出色度値Ｃｐｒｅとそれぞれ実質上等しいと判断された場合、ステップＳ５０８に進む。一方、（６）式あるいは（７）式に示されるように、今回検出輝度値ＢＲあるいは今回検出色度値ＣＲのいずれかが、前回検出輝度値Ｂｐｒｅあるいは前回検出色度値Ｃｐｒｅと実質上異なると判断されると、ステップＳ５０７に進む。
｜ＢＲ−Ｂｐｒｅ｜≦Ｄｂｒ                  …（４）
｜ＣＲ−Ｃｐｒｅ｜≦Ｄｃｒ                  …（５）
｜ＢＲ−Ｂｐｒｅ｜＞Ｄｂｒ                  …（６）
｜ＣＲ−Ｃｐｒｅ｜＞Ｄｃｒ                  …（７）
【００３７】
なお、前回の各センサ動作時に検出された輝度値および色度値に対して、後述のように補正が加えられていた場合においては、補正後の輝度値および色度値が、前回検出輝度値Ｂｐｒｅおよび前回検出色度値ＣｐｒｅとしてＲＡＭに記録されている。従って、この場合においても、今回検出輝度値ＢＲおよび今回検出色度値ＣＲと比較されるのは、それぞれ補正後の前回検出輝度値Ｂｐｒｅおよび前回検出色度値Ｃｐｒｅとなる。
【００３８】
ステップＳ５０４において、（２）式あるいは（３）式が示すように、今回検出輝度値ＢＲが、予め設定されていた輝度基準範囲Ｂ外の値であった場合、モニタの異常や、モニタ画面用バックライトの寿命が尽きたことなどが予想される。このため、ステップＳ５０６においては、モニタ３２の点検やモニタ画面３４用バックライトの交換（モニタ３２が液晶モニタの場合）等をオペレータに促すメッセージがモニタ画面３４上に表示され、輝度・色度調整ルーチンは終了する。
【００３９】
ステップＳ５０７においては、モニタ画面３４上に映し出される輝度および色度調整用の初期画面の輝度、色度の表示について補正が行われる。すなわち、輝度センサ４０および／または色度センサ４２により検出される初期画面の所定の位置における輝度および／または色度が、前回検出輝度値Ｂｐｒｅおよび／または前回検出色度値Ｃｐｒｅとして検出されるように、モニタ画面に表示される初期画面の輝度／色度を補正させる信号が、システムコントローラ２１からＣＲＴＣ２９を介して画面表示用信号処理回路２７に送られる。そして、この信号に基いて、画面表示用信号処理回路２７からモニタ３２に対して、モニタ画面３４による表示において輝度／色度を補正させる信号が送られ、これによりモニタ画面３４上の初期画面表示の輝度／色度の補正が行われる。
【００４０】
この補正が施されると、再びステップＳ５０３に進み、補正後の初期画面の所定の位置における輝度および色度が、再び輝度センサ４０および色度センサ４２により検出される。そして、補正後の初期画面における輝度値および色度値について、再びステップＳ５０４以降同様の判断、処理が行われ、補正後の輝度値および／または色度値が適正な値である前回検出輝度値Ｂｐｒｅ／前回検出色度値Ｃｐｒｅと実質上等しくなるまで、ステップＳ５０３、ステップＳ５０４、ステップＳ５０５およびステップＳ５０７は繰り返し実行される。
【００４１】
ステップＳ５０８においては、初期画面の所定の位置における輝度値および色度値として最終的に検出された値が、ＲＡＭに記録される。ここで、記録される輝度値および色度値は、先述のステップＳ５０７における初期画面の補正が行われなかった場合、輝度センサ４０および色度センサ４２により当初検出された今回検出輝度値ＢＲおよび今回検出色度値ＣＲである。一方、ステップＳ５０７で補正が行われた場合においては、補正後の最終的な輝度値である補正後輝度値Ｂａｄｊおよび補正後色度値Ｃａｄｊが記録されることとなる。いずれにせよ、ステップＳ５０８においてＲＡＭに記録された輝度値および色度値は、次回の輝度センサ４０および色度センサ４２の動作時に検出される輝度値および色度値と、比較される前回検出輝度値Ｂｐｒｅおよび前回検出色度値Ｃｐｒｅとなる。輝度値および色度値の記録が終了すると、輝度・色度調整ルーチンは終了する。
【００４２】
本実施形態においては、ステップＳ５０４において今回検出輝度値ＢＲが輝度基準範囲Ｂ内の値であるか否かが判断された後に、ステップＳ５０５において今回検出輝度値ＢＲおよび今回検出色度値ＣＲが、それぞれ前回検出輝度値Ｂｐｒｅおよび前回検出色度値Ｃｐｒｅに実質上等しいか否かが判断されているが、このステップＳ５０４とステップＳ５０５との実施順序は、逆であっても良い。
【００４３】
輝度値が一般的にモニタ画面の使用と共に低下する傾向にあることから、ステップＳ５０４における基準輝度範囲Ｂとして、上限値Ｂｍａｘおよび下限値Ｂｍｉｎを設定するのではなく、下限値Ｂｍｉｎのみを設定しても良い。この場合、（８）式に示されるように、今回検出輝度値ＢＲが、輝度基準範囲Ｂ内の値であると判断された場合にはステップＳ５０５に進み、（２）式に示されるように、今回輝度値ＢＲが輝度基準範囲Ｂ外の値であると判断された場合にはステップＳ５０６に進む。
Ｂｍｉｎ≦ＢＲ                                                        …（８）
【００４４】
本実施形態におけるモニタ３２は、共通の回転軸であるヒンジ４８を介してプロセッサ３０と開閉自在に一体化されているが、マイクロスイッチ３８、輝度センサ４０および色度センサ４２が設けられているモニタ対向面４６をプロセッサ３０の側面とすると共に、モニタ３２が、モニタ対向面４６に対してスライドすることにより開閉自在にプロセッサ３０と一体化される構造としても良い。また、モニタ３２が、伸縮自在の部材によりプロセッサ３０に取付けられることにより、開閉自在とされても良い。
【００４５】
図５のステップＳ５０６において、オペレータにモニタ３２の点検やモニタ画面３４用バックライトの交換等を促す警告は、モニタ画面３４上の表示の他に、音声によるものであっても良い。
【００４６】
本発明の実施形態として電子内視鏡装置１０について説明したが、デジタルカメラ、デジタルビデオカメラ、表示機能付き携帯電話などの表示機能付き撮像装置や、ノート型パーソナルコンピュータなどの一体型モニタを備えた電子機器に本発明を適用しても良い。
【００４７】
本発明におけるモニタ画面３４としては、液晶モニタやプラズマディスプレイパネル等が使用可能である。
【００４８】
【発明の効果】
以上のように本発明によれば、モニタに起因する輝度や色度の変化に対しても、モニタ表示における輝度や色度を自動的に適切なものに調整することが可能な表示機能付き電子機器を提供できる。さらに、モニタ画面表示における異常などをオペレータに報知させることが可能となる。
【図面の簡単な説明】
【図１】本実施形態である電子内視鏡装置のブロック図である。
【図２】モニタが一体化されたプロセッサの側面図である。
【図３】モニタが開いた状態でのプロセッサの上面図である。
【図４】モニタが開いた状態でのプロセッサの正面図である。
【図５】輝度・色度調整ルーチンを示すフローチャートである。
【符号の説明】
１０  電子内視鏡装置
１１  ＣＣＤ
２０  ビデオスコープ
２１  システムコントローラ（輝度比較手段・色度比較手段）
２５  画像メモリ
２６  後段映像信号処理回路
２７  画面表示用信号処理回路
２８  タイミングコントローラ
３０  プロセッサ
３２  モニタ
３４  モニタ画面
３８  マイクロスイッチ（モニタ画面開閉判断手段）
４０  輝度センサ
４２  色度センサ
４６  モニタ対向面
４８  ヒンジ（回転軸）
５０  モニタ画面対向領域
ＢＲ  今回検出輝度値
ＣＲ  今回検出色度値
Ｂｍａｘ  基準輝度範囲の上限値
Ｂｍｉｎ  基準輝度範囲の下限値
Ｂｐｒｅ  前回検出輝度値
Ｃｐｒｅ  前回検出色度値
Ｄｂｒ  輝度許容範囲
Ｄｃｒ  色度許容範囲
【図１】
2005073718.tif 000003
【図２】
2005073718.tif 000004
【図３】
2005073718.tif 000005
【図４】
2005073718.tif 000006
【図５】
2005073718.tif 000007